(57)【要約】      （修正有）【課題】車椅子利用者の自宅に出張して散髪やヘアーセット等を行うための理容装置を提供する。【解決手段】車椅子１００の前輪１０１を載せる高さに設定された左右一対の前輪載せ台１と、車椅子１００の後方からこの車椅子１００のフレーム１０２に対する取付部を両サイド前方に形成した横桿８の中央から斜め後方に傾斜させて立ち上げると共に伸縮自在に構成された支柱の先端にヘッドレスト１０を高さ調整自在に取り付け、更に前記支柱の中央から後方に向けて支持桿１６を取り付けてなるヘッドレスト台と、座枠２０から伸縮自在にシンク軸を立ち上げると共にこのシンク軸の上端にシンク２２を取り付けてなるシンク台１９とを用いる。【選択図】図６
0003172155.tif 000002
【実用新案登録請求の範囲】
【請求項１】
ａ．車椅子の前輪を載せて車椅子を後方に倒す高さに設定された左右一対の前輪載せ台と、
ｂ．車椅子の後方からこの車椅子のフレームに対する取付部を両サイド前方に形成した横桿の中央から斜め後方に立ち上げると共に伸縮自在に構成された支柱の先端にヘッドレストを高さ調整自在に取り付け、更に前記支柱の中央から後方に向けて支棒を取り付けてなるヘッドレスト台と、
ｃ．座枠から伸縮自在にシンク軸を立ち上げると共にこのシンク軸の上端にシンクを取り付けてなるシンク台と、
ｄ．からなる車椅子用理容装置。
【請求項２】
前記左右一対の前輪載せ台は、左右に伸縮自在の連結板により一体に連結されていることを特徴とする請求項１に記載の車椅子用理容装置。
【請求項３】
前記左右の前輪載せ台に前端部が連結されていて、後方に向けて水平に延長されていると共に上面に主輪が乗り上げることができる主輪受け溝を形成してなる主輪固定枠を設けてなることを特徴とする請求項１に記載の車椅子用理容装置。
【請求項４】
前記左右の主輪固定枠は、間に組みつけたＸ状の折り畳み板で連結されていることを特徴とする請求項３に記載の車椅子用理容装置。
【考案の詳細な説明】
【技術分野】
【０００１】
本考案は、車椅子に座ったままで散髪や洗髪あるいは顔そりやカラー、パーマ等を受けることができる理容装置に関する。
【０００２】
更に詳しくは、高齢や障害があって散髪やパーマのために理容店に出向くことができなかったり、ヘアーサロンに出向くことが出来なくなったお客様が、自宅や施設で理美容の技術サービスを受ける時にお客様が楽でそして技術者も安全に仕事が出来るように車椅子を後に傾けて従来サロン等で行っているものと同じ理美容のサービスを受けることができる理容装置に関する。
【背景技術】
【０００３】
現在リクライニング機能が付いている車椅子も色々出ているが、背もたれが高くて調髪や洗髪が出来ない。また、高価なため業界が進める福祉理美容に取り組むには費用がかかりすぎる。
【０００４】
そこで、車椅子を後方に傾けて理容等のサービスを受けることができる装置として、特開２００１−０１９３９０号には、車椅子利用者が車椅子から降りることなく、車椅子に座ったままの状態で散髪や洗髪等を行うことのできる装置を提供し、車椅子利用者が気軽に散髪や洗髪等のサービスを利用しやすくするものとして、車椅子（５１）を載置可能なトレー部（１）と、それを駆動させる駆動部（２）を備え、駆動部（２）は上下方向に昇降する昇降部（１０１）と、そこに設けられたトレー支持軸（１００）と、トレー支持軸（１００）を回動させる支持軸回動部（１０６）を有し、トレー支持軸（１００）はトレー部（１）と接続され、トレー部（１）には車椅子（５１）の主輪（５２）がトレー部（１）から落ちないように支持可能な主輪止め部材（１０）と、トレー部（１）上に載置された車椅子（５１）の背部を支持可能な背部支持部材（１２）と、車椅子（５１）の自在車（５３）がトレー部（１）から落ちないよう支持可能な自在車止め部材（１５）を備えた理容装置が紹介されている。
【０００５】
しかし、この理容装置は、装置が複雑なために高価であると共に重量もあることから、出張サービス時に利用者の自宅まで携行できないという欠点がある。
【０００６】
また、米国特許第６，０１５，２５６号公報には、車椅子ごと後方に傾斜させて洗髪等を行うことができる装置が紹介されている。
【０００７】
しかし、この装置の場合、車椅子を傾斜させたときに前輪は浮いた状態になることから、不安定になると共に基盤が大きいために重量が増し、出張サービス時に利用者の自宅まで携行できないという欠点がある。
【０００８】
また、米国特許第６，１３５，４８０号公報には、車椅子を倒してヘッドレスト付の支持台で受ける車椅子傾斜装置が紹介されている。
【０００９】
しかし、この傾斜装置は、車椅子を倒した状態が不安定なため、利用者に不安感を与えると共に、装置はキャスター付のため、不用意に動くことがあり、危険である。
【先行技術文献】
【特許文献】
【００１０】
【特許文献１】特開２００１−０１９３９０号
【特許文献２】米国特許第６，０１５，２５６号
【特許文献３】米国特許第６，１３５，４８０号
【考案の概要】
【考案が解決しようとする課題】
【００１１】
本考案は、技術者が利用者の自宅まで簡単に携行することができると共に手軽に、そして安心して利用することができる車椅子用理容装置を提供することを課題とする。
【課題を解決するための手段】
【００１２】
上記課題を解決するため、請求項１に記載の考案は、車椅子用理容装置として、ａ．車椅子の前輪を載せて車椅子を後方に倒す高さに設定された左右一対の前輪載せ台と、
ｂ．車椅子の後方からこの車椅子のフレームに対する取付部を両サイド前方に形成した横桿の中央から斜め後方に立ち上げると共に伸縮自在に構成された支柱の先端にヘッドレストを高さ調整自在に取り付け、更に前記支柱の中央から後方に向けて支棒を取り付けてなるヘッドレスト台と、
ｃ．座枠から伸縮自在にシンク軸を立ち上げると共にこのシンク軸の上端にシンクを取り付けてなるシンク台と、
ｄ．からなることを特徴とするものである。
【００１３】
この考案によると、出張散髪や洗髪等に際し、理容師が携行する装置は、車椅子の前輪を載せるだけで車椅子を後方に傾けることができるため、１人でこれを安全に行うことができる。
【００１４】
また、出張に際しては前輪台及び頭部台及びシンク台の３点をサービスに合わせて携行するだけのため、小型の自動車に載せて利用者宅へ出向くことができる。
【００１５】
次に、請求項２に記載の考案は、請求項１に記載の車椅子用理容装置において、前記左右一対の前輪載せ台は、左右に伸縮自在の連結板により一体に連結されていることを特徴とするものである。
【００１６】
この考案によると、前輪台は左右が連結板により一体化されているため、セットがしやすいと共にこの連結板の長さを調整自在としておくことにより、前輪幅の違いに対応することができる。
【００１７】
次に、請求項３に記載の考案は、請求項１に記載の車椅子用理容装置において、前記左右の前輪載せ台に前端部が連結されていて、後方に向けて水平に延長されていると共に上面に主輪が乗り上げることができる主輪受け溝を形成してなる主輪固定枠を設けてなることを特徴とするものである。
【００１８】
この考案によると、車椅子の主輪も受け枠内に固定されるため、車椅子を傾斜させたときにより安定して安全である。
【００１９】
次に、請求項４に記載の考案は、請求項３に記載の車椅子用理容装置において、前記左右の主輪固定枠は、間に組みつけたＸ状の折り畳み板で連結されていることを特徴とするものである。
【００２０】
この考案によると、主輪幅の違う車椅子に対応することができる。
【考案の効果】
【００２１】
本考案に係る車椅子用理容装置は以上のように、出張サービス理美容に際し、小型車に載せて簡単に携行し、車椅子を１人で傾けてサービスの準備を行うことができると共に車椅子は安定し、安全にサービスを行うことができる。
【００２２】
また、出張に際しては、前輪載せ台、ヘッドレスト台、シンク台の３点を用意するだけでよく、それぞれを分離して小型車での携行に便利であると共にそれぞれシンプルな構造であることから製作コストも安い。
【図面の簡単な説明】
【００２３】
【図１】本考案に係る前輪載せ台と主輪固定枠の説明図。
【図２】ヘッドレスト台の説明図。
【図３】シンク台の説明図。
【図４】前輪載せ台に主輪固定枠を連結した状態の説明図。
【図５】ヘッドレスト台の取付部分の説明図。
【図６】使用状態の説明図。
【考案を実施するための形態】
【実施例】
【００２４】
本考案に係る車椅子用理容装置の実施例を次に説明する。
【００２５】
図１は前輪載せ台と主輪固定枠を示すもので、符号の１は前輪載せ台であって、この前輪載せ台１は、左右一対の構成から成り、台座２に支持板３を介して一定の高さに前輪載せ部４を形成した構成である。
【００２６】
なお、この前輪載せ台１は、左右分離した構成としても良いが図１に示すように連結板５で一定の間隔をあけて連結して一体化させても良い。
【００２７】
連結板５は、１枚ものでも良いが、図のように中央で左右を連結して左右の幅をボルト６により前輪の幅に合わせて調整自在に構成しても良い。
【００２８】
図２、図５において、７はヘッドレスト台であって、このヘッドレスト台７は下部横桿８の中央から斜め後方にヘッドレスト支柱９を立ち上げると共にこのヘッドレスト支柱９の上端にヘッドレスト１０を取り付け、前記下部横桿８の両サイドの前方には、車椅子１００のフレーム１０３に対する取り付け部１１を設けた構成である（図５参照）。
【００２９】
本実施例において、前記取り付け部１１の構成は、図５に示すように前方にハンドル１３により左右にスライドする開閉部材１２を取り付け、この開閉部材１２により開閉自在のフレーム受け凹部１４を形成し、開閉部材１２を開けてフレーム受け凹部１４に車椅子１００側のフレーム１０２を収め、開閉部材１２を閉じることにより下部横桿８を車椅子１００に取り付けることができる。
【００３０】
また、ヘッドレスト台７には中央から後方に向けて支棒１６が取り付けてあり、後方に倒れるのをこの支棒１６で支える構成となっている。
【００３１】
また、ヘッドレスト支柱９は中間で上下に伸縮自在に構成されていて、ハンドル１７によりヘッドレスト１０の高さを調整することができ、更にヘッドレスト１０はハンドル１８により角度調整が可能に構成されている。但し、ヘッドレスト１０はヘッドレスト支柱９に固定されていても良い。
【００３２】
図３において、１９はシンク台であって、このシンク台１９は基台フレーム２０から垂直にシンク支柱２１を立ち上げ、このシンク支柱２１の上端にシンク２２を取り付けた構成である。
【００３３】
前記シンク支柱２１は中間で伸縮（高さ）調整自在に構成されている。２３は伸縮時の止めねじである。
【００３４】
２４はシンク２２に取り付けられた排水ホースである。
【００３５】
図１において、２５は、主輪固定枠であって、この固定枠２５は左右２本からなり、上面に主輪受け溝２６を形成し、車椅子１００の前輪１０１を前記前輪載せ台１に載せたときに、主輪１０３はそのままでも良いが、この主輪固定枠２５の主軸受け溝２６に主輪１０３を乗り上げて固定するようにすると、車椅子１００をより安定的に傾けることができる。
【００３６】
なお、左右の主輪固定枠２５の内側には、折り畳み板２７、２８をＸ状に組み付けると共に主輪固定枠２５の内側に形成したガイド溝２７ｃ、２８ｃに折り畳み板２７、２８の先端２７ａ、２８ａをピン２７ｂ、２８ｂを介して連結することにより、携行時には左右の固定枠２５を寄せて折り畳み、小型化できる構成としても良い。
【００３７】
また、図４に示すように左右別々に前輪載せ台１の後方に主輪固定枠２５の先端を連結させた構成としてもよい。
【００３８】
次に、以上に説明した本考案に係る車椅子用理容装置の使用方法を図６に基づいて説明する。
【００３９】
先ず、床に前輪載せ台１を置き、車椅子１００に乗った利用者を前向きにして前輪１０１を持ち上げて前輪載せ台１に載せ、車椅子１００を後方に傾ける。
【００４０】
次に、ヘッドレスト台７を車椅子１００に後方から近づけ、下部横桿８の取り付け部１１の開閉部材１２を開き、ここに車椅子１００の後部フレーム１０２を入れて当て嵌め、図５において開閉部材１２を点線に示すように閉じることで下部横桿８を車椅子１００の後部フレーム１０２に固定し、支棒１６でヘッドレスト台７が倒れないようにしてセットし、ヘッドレスト１０の高さと傾きを調整する。
【００４１】
なお、このヘッドレスト台７の取り付けは、車椅子１００を傾ける前に行っても良い。
【００４２】
次に、図６に示すようにシンク台１９をヘッドレスト台７の後方にセットし、シンク２２を利用者の頭部の下に位置させて準備を終了し、その上で散髪又は洗髪等のサービスに移る。
【００４３】
なお、本考案の装置は、出張用に使用することを主眼としているが、理髪店、ヘアーサロン内等に常備しておくこともできる。
【符号の説明】
【００４４】
１  前輪載せ台
７  ヘッドレスト台
１９  シンク台
２５  主輪固定枠
１００  車椅子
【図１】
0003172155.tif 000003
【図２】
0003172155.tif 000004
【図３】
0003172155.tif 000005
【図４】
0003172155.tif 000006
【図５】
0003172155.tif 000007
【図６】
0003172155.tif 000008